(57)【特許請求の範囲】
【請求項１】
多数の桟を伸縮リンク機構によって連結し同時伸縮自在に形成した伸縮仕切体と，該伸縮仕切体の伸縮開閉用の一対のガイドレールと，上記伸縮仕切体の伸縮方向に一対の桟をそれぞれ上記ガイドレール長手方向に移動不能とすることにより上記伸縮リンク機構を拘束し，少くとも一方をサッシ戸を開成することによって形成される開口前に配置して室内側からの解除を自在とした中間桟固定手段とした一対の桟固定手段とを備え，上記中間桟固定手段を，上記一対のうち下部のガイドレールの長手方向中間位置に設置した受金具と伸縮仕切体の桟に設置した施錠金具とによって形成し，上記受金具を，上記下部のガイドレール長手方向所定の中間位置にしてその室内側に添設設置し該ガイドレール長手方向に向けた両側左右の張出し固定片を有するべースと該べースから室内側に向けて突出した係脱用の受孔を区画形成する矩形突出部を備えた金属製のものとして形成し，施錠金具を，該受金具の位置に対応して伸縮仕切体の所定の縦桟の室内側に添設設置したスライドケース，該スライドケースの案内によって桟長手方向にスライドし上記受金具に係脱自在のスライド部材，該スライド部材の非受金具側先端に室内側に向けて回動自在に連結し該スライド部材を係脱方向にスライドするレバーハンドル及び上記スライドケースとレバーハンドル間に設けレバーハンドルをスライドケースに固定する回動リンクとを備えて形成し，上記スライドケースを，その添設設置した縦桟長手方向に向けた両側上下の張出し固定片を有するべースと該べースから幅方向両側一対の突出連結片を介して室内側に突出した上下方向に向けた筒状スライドガイドとを備えた金属製とし，スライド部材を，上記スライドケースの筒状スライドガイドの案内によってスライド自在とするように該筒状スライドガイドの形状に合わせてスライド嵌合する中空又は中実の断面矩形にして，その上端に薄肉化するように突出した連結片部を備えて上下方向にスライドすることによって上記受金具の受孔に突没して，該受金具に係脱自在とした同じく金属製とし，レバーハンドルを，上記スライド部材の連結片部に重合軸着することによって該スライド部材の非受金具側先端に室内側に向けて回動自在に連結した同様に金属製のものとするとともにその回動半径をサッシ戸との間隔より大きくサッシ戸と交差するようにした同じく金属製とし，上記回動リンクを，上記スライドケースの筒状スライドガイドの横方向両側の側面中間位置とレバーハンドルの同じく両側の側面中間位置間にそれぞれ長手方向両端部を回動自在に軸支固定して架設状に配置してレバーハンドル及びスライド部材をスライドケースに固定保持し上記レバーハンドルの回動とこれによるスライド部材の受金具への係脱を行う両側一対のリンクプレートによるものとしてなることを特徴とする非常脱出用伸縮面格子。
【発明の詳細な説明】
【０００１】
【発明の属する技術分野】
本発明は，建物の窓に設置して防犯用に用いる面格子に関し，特に非常時に開成することによって，室内からの脱出を可能とする非常脱出用伸縮面格子に関する。
【０００２】
【発明が解決しようとする課題】
この種非常脱出用に用いられる，例えば非常時に下方に落下し，室外側上方に跳ね上げ回動し，或いは室外側側方に回動することによって仕切体を除去して，脱出開口を得るようにした面格子は，一般に単に縦格子，横格子のものとされるため，デザイン的に単調な傾向を有しており，また面格子として仕切体を伸縮仕切体としたときに，その伸張状態を維持するために，例えば該仕切体をサッシ戸前に保持固定する施錠装置等の固定手段を設けるものとしても，これは結局室外側で操作し易いものとなり，このため面格子としての防犯性が損われる傾向を有するものとなる。
【０００３】
本発明はかかる事情に鑑みてなされたもので，その解決課題とする処は，デザインを多様化し得るとともに非常脱出用の脱出開口を簡易且つ確実に得られ且つその面格子としての防犯性を可及的に確保した非常脱出用面格子を提供するにある。
【０００４】
【課題を解決するための手段】
上記課題に添って本発明は，これを，多数の桟を伸縮リンク機構によって連結し同時伸縮自在に形成した伸縮仕切体と，該伸縮仕切体の伸縮開閉用の一対のガイドレールと，上記伸縮仕切体の伸縮方向に一対の桟をそれぞれ上記ガイドレール長手方向に移動不能とすることにより上記伸縮リンク機構を拘束し，少くとも一方をサッシ戸を開成することによって形成される開口前に配置して室内側からの解除を自在とした中間桟固定手段とした一対の桟固定手段とを備え，上記中間桟固定手段を，上記一対のうち下部のガイドレールの長手方向中間位置に設置した受金具と伸縮仕切体の桟に設置した施錠金具とによって形成し，上記受金具を，上記下部のガイドレール長手方向所定の中間位置にしてその室内側に添設設置し該ガイドレール長手方向に向けた両側左右の張出し固定片を有するべースと該べースから室内側に向けて突出した係脱用の受孔を区画形成する矩形突出部を備えた金属製のものとして形成し，施錠金具を，該受金具の位置に対応して伸縮仕切体の所定の縦桟の室内側に添設設置したスライドケース，該スライドケースの案内によって桟長手方向にスライドし上記受金具に係脱自在のスライド部材，該スライド部材の非受金具側先端に室内側に向けて回動自在に連結し該スライド部材を係脱方向にスライドするレバーハンドル及び上記スライドケースとレバーハンドル間に設けレバーハンドルをスライドケースに固定する回動リンクとを備えて形成し，上記スライドケースを，その添設設置した縦桟長手方向に向けた両側上下の張出し固定片を有するべースと該べースから幅方向両側一対の突出連結片を介して室内側に突出した上下方向に向けた筒状スライドガイドとを備えた金属製とし，スライド部材を，上記スライドケースの筒状スライドガイドの案内によってスライド自在とするように該筒状スライドガイドの形状に合わせてスライド嵌合する中空又は中実の断面矩形にして，その上端に薄肉化するように突出した連結片部を備えて上下方向にスライドすることによって上記受金具の受孔に突没して，該受金具に係脱自在とした同じく金属製とし，レバーハンドルを，上記スライド部材の連結片部に重合軸着することによって該スライド部材の非受金具側先端に室内側に向けて回動自在に連結した同様に金属製のものとするとともにその回動半径をサッシ戸との間隔より大きくサッシ戸と交差するようにした同じく金属製とし，上記回動リンクを，上記スライドケースの筒状スライドガイドの横方向両側の側面中間位置とレバーハンドルの同じく両側の側面中間位置間にそれぞれ長手方向両端部を回動自在に軸支固定して架設状に配置してレバーハンドル及びスライド部材をスライドケースに固定保持し上記レバーハンドルの回動とこれによるスライド部材の受金具への係脱を行う両側一対のリンクプレートによるものとしてなることを特徴とする非常脱出用伸縮面格子としたものである。
【０００５】
【発明の実施の形態】
以下図面の例に従って本発明を更に具体的に説明すれば，Ａは伸縮面格子であり，該伸縮面格子Ａは，多数の桟２を伸縮リンク機構３によって連結し同時伸縮自在に形成した伸縮仕切体１と，該伸縮仕切体１の伸縮開閉用の一対のガイドレール６とを備えた，例えば金属製，特にアルミ製のものとしてある。
【０００６】
本例にあって伸縮仕切体１は，多数の縦桟２の長手方向一対の上下に伸縮リンク機構３を配することによって横方向（幅方向）に伸縮自在のものとしてあり，このとき伸縮リンク機構３は，それぞれ端部から一つ置きに設置する交互一方の縦桟２間に亘るようにリンクをＸ字状に架設するとともに上記一つ置きの交互一方の桟２における長手方向一方の，本例において上下一方外方にして，上方の伸縮リンク機構３において上端側，下方の伸縮リンク機構３において下端側に固定軸４を，また長手方向他方の上下他方内方にして，本例において上記上方の伸縮リンク機構３において上記固定軸４の下位側，下方の伸縮リンク機構３において上記固定軸４の上位側に可動軸５を配し，また上記交互一方の桟２間に位置する交互他方の桟２との交点に固定軸４を配し，これら桟２に固定軸４を定位置固定するとともに可動軸５を桟長手方向の上下方向スライド自在に固定したものとしてあり，このときＸ字状のリンクを上記固定軸４及び可動軸５にそれぞれ回動自在とすることによって，伸縮仕切体１を伸縮開閉自在とするとともにその伸縮リンク機構３を同時伸縮自在として，上記伸縮仕切体１の伸縮開閉を伸縮方向に同時に行うものとしてある。
【０００７】
ガイドレール６は，上記伸縮仕切体１における桟２の長手方向端部の，本例にあって上下端部室内側，即ち背面の窓側に水平平行に配置した横向きにして矩形中空上下一対のものとし，各桟２の長手方向両端部の同じく室内側に突出して設置したＬ字状のスライダー７をガイドレール６に引掛係合することによって伸縮仕切体１をガイドレール６長手方向の，本例にあって水平の横方向（幅方向）に伸縮開閉するようにしたものとしてある。
【０００８】
このとき伸縮仕切体１は，その伸縮方向に一対の桟２をそれぞれ上記ガイドレール６長手方向に移動不能とすることにより上記伸縮リンク機構３を拘束し，少くとも一方をサッシ戸Ｂを開成することによって形成される開口前に配置して室内側からの解除を自在とする中間桟固定手段とした一対の桟固定手段を設置したものとしてあり，本例にあって該一対の桟固定手段は，これを上記伸縮仕切体１の伸縮方向一方の端部桟２に対して解除不能の固定手段と，上記伸縮仕切体１の伸縮方向中間の中間桟２に対して上記室内側からの解除を自在とした中間桟固定手段によるものとしてある。
【０００９】
即ち本例にあって，上記解除不能の固定手段は，伸縮仕切体１一端の端部に位置する一方の端部桟，即ち端部縦桟２を上記一対のガイドレール６に対して固定することによるものとしてあり，本例では，上記一方の端部縦桟２を，その長手方向両端の上下端部においてそれぞれガイドレール６に固定，即ち例えばＬ字アングル材による固定金具１０を用い，これを端部縦桟２とガイドレール６にそれぞれネジ，リベット等によって固定することによったものとしてあり，これにより伸縮仕切体１の伸縮方向一端をガイドレール６に固定し，該一端でその移動を阻止しその解除を不能とするものとしてある。
【００１０】
一方，上記中間桟固定手段はこれを，上記一対のうち下部のガイドレール６の長手方向中間位置に設置した受金具１１と伸縮仕切体１の桟２に設置した施錠金具１６とによって形成し，このとき上記施錠金具１６を，該受金具１１の位置に対応して伸縮仕切体１の所定の縦桟２の室内側に添設設置したスライドケース１７，該スライドケース１７の案内によって桟長手方向にスライドし上記受金具に係脱自在のスライド部材２３，該スライド部材２３の非受金具側先端に室内側に向けて回動自在に連結し該スライド部材２３を係脱方向にスライドするレバーハンドル２６及び上記スライドケース１７とスライド部材２３又はレバーハンドル２６間に設けレバーハンドル２６をスライドケース１７に固定する回動リンク２７とを備えて形成したものとしてある。
【００１１】
このとき上記受金具１１は，これを，上記下部のガイドレール６長手方向所定の中間位置にしてその室内側に添設設置し該ガイドレール６長手方向に向けた両側左右の張出し固定片を有するべースと該べースから室内側に向けて突出した係脱用の受孔を区画形成する矩形突出部を備えた金属製のものとして形成したものとしてあり，上記施錠金具１６の上記スライドケース１７は，これを，その添設設置した縦桟２長手方向に向けた両側上下の張出し固定片１９を有するべース１８と該べース１８から幅方向両側一対の突出連結片２０を介して室内側に突出した上下方向に向けた筒状スライドガイド２１とを備えた金属製とし，スライド部材２３は，これを，上記スライドケース１７の筒状スライドガイド２１の案内によってスライド自在とするように該筒状スライドガイド２１の形状に合わせてスライド嵌合する中空又は中実の断面矩形にして，その上端に薄肉化するように突出した連結片部２４を備えて上下方向にスライドすることによって上記受金具１１の受孔１５に突没して，該受金具１１に係脱自在とした同じく金属製とし，レバーハンドル２６は，これを，上記スライド部材２３の連結片部２４に重合軸着することによって該スライド部材２３の非受金具側先端に室内側に向けて回動自在に連結した同様に金属製のものとするとともにその回動半径をサッシ戸との間隔より大きくサッシ戸と交差するようにした同じく金属製としてあり，また上記回動リンク２７は，これを，上記スライドケース１７の筒状スライドガイド２１の横方向両側の側面中間位置とレバーハンドル２６の同じく両側の側面中間位置間にそれぞれ長手方向両端部を回動自在に軸支固定して架設状に配置してレバーハンドル２６及びスライド部材２３をスライドケース１７に固定保持し上記レバーハンドル２６の回動とこれによるスライド部材２３の受金具１１への係脱を行う両側一対のリンクプレートによるものとしてある。
【００１２】
従って回動リンク２７によって，レバーハンドル２６及びスライド部材２３をスライドケース１７に固定して，これらを保持し，その外れや落下を防止して，レバーハンドル２６の回動とこれによるスライド部材２３の受金具１１への係脱を可能としてあり，更に上記回動リンク２７によって，スライドケース１７側の軸支部分を中心位置として，その軸支間長さを半径とするようにレバーハンドル２６の回動を規制するとともにその回動をスムーズ且つ確実に行うようにしてある。すなわちレバーハンドル２６は，スライドケース１７上に起立して，スライド部材２３と直列状とすることによって，スライド部材２３を降下し受金具１１に係合した施錠状態とし，レバーハンドル２６を下向きに回動して，上記スライド部材２３側先端を上方に移動させ，スライド部材２３を上昇することによって，これを受金具１１から脱出させて，解錠状態とし，伸縮仕切体１の伸縮リンク機構３の拘束を解除して，その開閉を可能とするようにしてあり，またレバーハンドル２６を上向きに回動して，上記と逆の動作によって，伸縮リンク機構３を拘束して，施錠状態とし，防犯性を確保するものとしてある。このときレバーハンドル２６は，その回動半径をサッシ戸Ｂとの間隔より大きくサッシ戸Ｂと交差するようにしてあるため，サッシ戸Ｂが閉成されているとき，レバーハンドル２６の回動は，サッシ戸Ｂによって妨げられることによって，施錠状態から解錠状態とすることはできず，従ってサッシ戸Ｂの，例えば引違戸召合せ框間のクレセント施錠に伴って，伸縮面格子Ａとしての防犯性が確保される一方，非常時には，脱出者が室内側から上記クレセントを解錠し，或いは救助者が室外側からサッシ戸Ｂを破損する等することによって，レバーハンドル２６を回動して解錠状態として，伸縮仕切体１をそのガイドレール６の案内によって開成し，サッシ戸Ｂの開口前に室内側から室外側への非常脱出用の脱出開口を形成し，窓からの脱出避難を可能とすることができる。
【００１３】
図中２２はスライドケース１７におけるスライドガイド２１背面側を部分的に切欠いて，レバーハンドル２６の回動を可能とする切欠き部，２５はスライドガイド２１内においてスライド部材２３に横方向（幅方向）に透設し，回動リンク２７軸支固定用の，本例において用いた貫通軸２８に対してスライド部材２３の上下方向の移動を可能とするようにその移動長さに応じて上下方向に向けた長さを有する貫通軸挿通用の長孔，２９はスライドケース１７と回動リンク２７間のワッシャ，３０はレバーハンドル２６と回動リンク２７間のスペーサーをなすローラー，３１は回動リンク２７の上記貫通軸２８固定用のリベット，３２は受金具１１のべース１２及びスライドケース１７のべース１８の固定用のネジ，リベット等の固定金具を示す。
【００１４】
図示した例は以上のとおりとしたが，本発明の実施に当って，伸縮仕切体を多数の横桟を伸縮リンク機構によって連結し，上下方向に同時伸縮自在に形成した，縦方向にガイドレールを備えたものとすること，一対の桟固定手段の双方を室内側からの解除を自在とした中間桟固定手段と端部桟固定手段又は一対の中間桟固定手段とすること，端部桟に対して解除不能の固定手段を用いるとき，一対のガイドレール長手方向端部に架設材を配して，面格子収納開閉用の枠体を形成し，伸縮仕切体の伸縮方向一端の端部桟を，上記架設材に固定することによってガイドレール長手方向に移動不能とするものとすること等を含めて，伸縮仕切体，ガイドレール，中間桟固定手段，これと対をなす他の桟固定手段，受金具，施錠金具，保持手段等の各具体的材質，形状，構造，これらの関係，これらに対する付加等の具体的形態は，上記発明の要旨に反しない限り，これを様々のものとすることができる。
【００１５】
【発明の効果】
本発明は以上のとおりに構成したから，請求項１に記載の発明は，例えば縦桟や横桟の桟と，傾斜し或いは湾曲する等して桟の長手方向に単一に又は複数に配設した伸縮リンク機構とを備えて多様且つ個性的なデザインの伸縮面格子とするとともに回動リンクによってスライドケースとレバーハンドル，更にはこれに設けたスライド部材との，施錠金具としての一体性を確保するとともにレバーハンドルの回動をスムーズ且つ確実に行い，これによるレバーハンドルの回転運動を，受金具に係脱するスライド部材の直線運動に確実に転換し，中間桟固定手段の作動を簡易にして確実に行って非常脱出用の脱出開口を簡易且つ確実に得られるとともに面格子としての防犯性を可及的に確保し得るようにした非常脱出用伸縮面格子を提供することができる。
【図面の簡単な説明】
【図１】  伸縮面格子の正面図である
【図２】  伸縮面格子の一部を省略した背面図である
【図３】  伸縮面格子の設置状態を示す縦断面図である
【図４】  中間桟固定手段の分解斜視図である
【図５】  中間桟固定手段による拘束状態を示す側面図である
【図６】  中間桟固定手段の作動状態を示す側面図である
【図７】  中間桟固定手段の横断面図である
【符号の説明】
Ａ  伸縮面格子
１  伸縮仕切体
２  桟
３  伸縮リンク機構
６  ガイドレール
１１  受  金  具
１６  施錠金具
１７  スライドケース
２１  スライドガイド
２３  スライド部材
２６  レバーハンドル
２７  回動リンク
【図１】
0003889854.tif 000002
【図２】
0003889854.tif 000003
【図３】
0003889854.tif 000004
【図４】
0003889854.tif 000005
【図５】
0003889854.tif 000006
【図６】
0003889854.tif 000007
【図７】
0003889854.tif 000008